(57)【特許請求の範囲】
【請求項１】
飲料用缶の対応する蓋は、上記缶に含まれる液体の抽出口を形成するように破断される第１ダイカット（２）を特徴として有し、メインリングを取り付けるために上記蓋上にリベット（５）が設けられ、リベットに取り付けられたメインリング（１−１’’）を上方へ傾斜させることにより、上記第１ダイカットの破断が行われ、飲料用缶の二重開封システムであって、
上記蓋には、少なくとも、その破断により空気流入口を形成する第２ダイカット（１０−１０’−１０’’）が組み込まれており、上記第２ダイカットは、蓋における、上記第２ダイカット破断用の各切断ハンマー（７−７’−７’’）と対向する部分を画定し、最初に上記液体の抽出口を破断した後、上記メインリングの初期係止位置まで上記メインリングを下方に傾斜させることにより、上記第２ダイカットの破断が行われ、
上記メインリング（１−１’’）における同じ傾斜リベット（５）には、第２レバー（６−６’）が取り付けられており、上記第２レバー（６−６’）は、上記メインリング（１−１’）を上方へ傾斜させ液体用の上記第１ダイカット（２）を破断した後、上記第２レバー（６−６’）を下方に押圧することにより、１つまたは複数の上記第２ダイカット（１０−１０’’）を破断し、
１つまたは複数の上記第２ダイカット（１０−１０’’）を破断するための切断ハンマー（７−７’’）が、上記第２レバー（６−６’）に設けられており、
上記メインリングが上記初期係止位置にあるときに、上記第２レバーの一部が、上記メインリングから延びる緩衝部に当接することによって係止され、これによって、上記第２レバーに設けられた上記切断ハンマーの下方への動きが規制されることを特徴とする、飲料用缶の二重開封システム。
【請求項２】
１つまたは複数の上記第２ダイカット（１０−１０’’）を破断するための上記第２レバー（６−６’）は、メインリング（１−１’’）に設けられた緩衝部（９または９’または９’’）での支持を決定する端部分（８−８’）を具えており、
メインリング（１−１’’）を傾斜させ上記第１ダイカット（２）の破断を行う前に、切断ハンマー（７−７’’）が１つまたは複数の上記第２ダイカット（１０−１０’’）の上にかかるのを防止するようになっていることを特徴とする、請求項１に記載の飲料用缶の二重開封システム。
【請求項３】
上記メインリング（１−１’’）は、広く位置づけられた、上記第２レバー（６−６’）のための窓とともに備えられていることを特徴とする、請求項１又は２に記載の飲料用缶の二重開封システム。
【請求項４】
上記メインリング（１−１’’）の傾斜軸は、上記第２レバー（６−６’）の傾斜軸と異なっており、破断を行うために、上記メインリング（１−１’’）は、第２リング（６−６’）の傾斜軸と異なって傾斜し、ダイカット（２）の破断を行うために、上記端部分（８−８’）が上記メインリング（１）の上記緩衝部（９または９０または９’’）から脱離されるまで、メインリング（１−１’）は、始めに上記第２レバー（６−６’）を引きずって傾斜し、
一方、上記ダイカット（２）破断後の上記メインリング（１）の下方への傾斜において、第２レバー（６−６’）は、メインリングとともに引きづられ、上記蓋（３９）へ押圧したときに、上記第２レバー（６−６’）の１つまたは複数の切断ハンマー（７−７’’）により、１つまたは複数のダイカット（１０）を破断することを特徴とする、請求項２又は３に記載の飲料用缶の二重開封システム。
【請求項５】
上記第２レバー（６）の狭端部分（８）に対する緩衝部（９）は、上方へ突出するフラップにより決定されることを特徴とする、請求項２乃至４のいずれか１項に記載の飲料用缶の二重開封システム。
【請求項６】
上記第２レバー（６）の端部分（８）に対する緩衝部（９’）は、下方へ傾斜したフラップにより決定され、該フラップは、支持傾斜路と、上記端部分（８）に対する緩衝部とを形成することを特徴とする、請求項２乃至４のいずれか１項に記載の飲料用缶の二重開封システム。
【請求項７】
上記第２レバー（６）の端部分（８）に対する緩衝部は、メインリング（１）の端部に対応する架橋リフト（９’’）により決定されることを特徴とする、請求項２乃至４のいずれか１項に記載の飲料用缶の二重開封システム。
【請求項８】
上記第２レバー（６）の端部分（８’）は、第２レバー（６）の延長部分である、小さな伸長部を備えたこと特徴とする、請求項２に記載の飲料用缶の二重開封システム。
【請求項９】
上記第２レバー（６’）の端部分（８’）は、角張った構成を特徴として有することを特徴とする、請求項２に記載の飲料用缶の二重開封システム。
【請求項１０】
上記第２レバー（６’）は、上記ハンマー（７’’）を構成する薄浮き彫り突起部を画定する２つの集光面により形成された、中央折り畳み部（１２）を備えたことを特徴とする、請求項２に記載の飲料用缶の二重開封システム。
【請求項１１】
上記メインリング（１’’）は、丸みがある断面になった周辺肉厚部を特徴として有し、この周辺肉厚部は、幅狭部分（１３）により中断されることを特徴とする、請求項２に記載の飲料用缶の二重開封システム。
【請求項１２】
上記第２ダイカット（１０−１０’−１０’’）により画定される領域は、隆起部（１４）を有することを特徴とする、請求項１〜１１のいずれかに記載の飲料用缶の二重開封システム。
【請求項１３】
上記隆起部（１４）は、球状キャップ形状の構造を特徴として有することを特徴とする、請求項１２に記載の飲料用缶の二重開封システム。
【請求項１４】
請求項１乃至１３のいずれか１項に記載の二重開封システムを具える飲料用缶。
【発明の詳細な説明】
【発明の詳細な説明】
【０００１】
〔本発明の目的〕
本願明細書に記述されたタイトルの通り、本発明は、取り扱われる飲料用容器即ち缶の対応する上蓋に対し、開封を２回実行するための飲料用缶の二重開封システムに関し、消費中に液体の排出を可能にし、さらに液体が乱雑に噴出するのを防止するための空気の流入を可能にすることを目的としている。
【０００２】
本発明の他の目的は、使用者が最小限の労力で空気流入口の開封を実行することができ、さらにこの空気流入口の偶発的な開封を防止することである。
【０００３】
〔発明の背景〕
飲料用容器即ち缶は、一般的に、口を近づけるための上蓋が存在する。この上蓋は、ダイカットと、このダイカットの隣りに存在しリングを締め付けるためのリベットとを有する。ダイカットは、そのときになったら飲料用排出口を得るための脆弱ライン(weakening line)を決定する。また、リングの引き戻しは、開封を伴って行われる。ダイカット領域に、上記リングを傾斜し押圧したとき、ダイカット領域が開裂(ripping)し缶が開封することにより、液体の流出が可能になる。
【０００４】
明らかに、上述の形式で作られた開封、即ち飲料用排出口は、液体流出手段を構成することに加え、空気流入手段をも構成する。それによって、液体及び空気が衝突し、液体が乱雑に噴出する。
【０００５】
〔発明の記述〕
上記目的を達成し、先の段落に記載された欠点を回避するために、本発明は、新規の飲料用缶の二重開封システムからなり、基本的には、液体流出口を構成するダイカットの破断を行うのにリングが用いられ、このリングは、第２レバーで補われ、第２レバーは、上記主開封リングを取り付ける同じリベットに、回転可能に(pivotally)取り付けられているという事実を主な対象としている。そして、特別な特徴として、第２レバーは、常に、上記メインリングに続いて作動し、液体抽出口に対応するダイカットから離間した、空気の入口に対応する１つまたは複数のダイカットを破断する。そして、特別な特徴として、上記メインリングは、結局空気流入口となるダイカットの破断レバーを載置できる広い窓を有し、このレバーの自由端は、上記メインリングにそのために備えられた緩衝部に支持され、メインリングにより液体抽出口を構成するダイカットが破断されるまで、上記レバーが作動しないことを正確に防止する。
【０００６】
第２レバーは、空気の入口のためのダイカットを破断するためのものであり、液体抽出用ダイカットを破断するメインリングと同じリベットに取り付けられ、特徴として、上記蓋を穿孔するための、１つまたは２つの尖頭(pointed)ハンマーを有している。完全に蓋に対し垂直な方向に押圧されない場合、このレバーは、ダイカットを破断することなく変形するが、使用者の労力を最小限にする目的では、中央に配された１つのハンマーが望ましい。ゆえに、好ましい実施形態では、２つのハンマーが配置されており、上記レバーが押圧操作においてより安定になり、ハンマーのうち１つが鈍る可能性があるが、空気流入口を形成することを実現している。その結果、上記ハンマーのみが、上記機構の安定化に用いられ得る。
【０００７】
１つまたは複数のダイカットは、対応する(referred to)１つまたは複数のハンマーにより穿孔する、即ち破断するように設計されており、単一のダイカットであるときには、中央に配されている、あるいは２つのダイカットがある場合、深絞りの一方及び他方の両側に配されている。この深絞りは、上記領域に剛性を与え、開封プロセスでの蓋の隆起を防止する。
【０００８】
対応する(referred to)第２レバーにおける１つまたは複数のハンマーは、ダイカットの穿刺を開始し、続いて各舌部を押圧するための切断プロファイルを有する。この舌部は、初期破壊を広くし、開口幅を増加させるためのものである。
【０００９】
先に記載したように、メインリング（これにより液体流出用ダイカットの破断がなされる）は、上述の第２レバーの自由端に対する緩衝部を有する。それゆえ、リングの傾斜中、対応する開封を行うために、上記リングが上方へ引っ張られているとき、上記リングは、対応する第２レバーの傾斜に引きずられ、両要素（リング及びレバー）の回転半径が異なることにより、ある点で第２レバーは脱離する。それゆえ、第２レバーが上記メインリングから上方に傾斜され、メインリングがともに第２レバーを搬送する(take)とき、上記レバーは、上記レバーの端部が上記メインリングにそのために設けられた緩衝部から脱離するまで、傾斜している。これにより、上記緩衝部の一方の側が、空気流入用のダイカットの偶発的な穿孔がなされるのを防止する。一方、一度、上記リングの傾斜が行われ液体抽出口が開封されると、上記レバーは、下方へ押圧され、そのハンマーが対応する開封を行うことができる。
【００１０】
上記緩衝部は、上記レバーのハンマーが偶発的に、１つまたは複数の空気流入口を形成するダイカットを穿孔する、あるいは破断する、あるいは穿孔し破断するのを防止するために、上記メインリングに備えられている。上記緩衝部は、上方または下方に傾斜して突出している。それゆえ、いかなる場合であっても、上記レバーは、主レバーとともに、上記リング及びレバーの異なる回転半径に対応して、端部が対応する緩衝部から脱離される点へ向かって上記主レバーの傾斜に引きずられる。
【００１１】
実施形態の変形例では、上記緩衝部は、上記メインリング端部の架橋リフトからなり得る。それゆえ、緩衝機能に加え、指先を入れ、容易に上記メインリングを引っ張る、すなわち上方へ押圧することができる。
【００１２】
第２レバーの構成及び構造により、空気流入用の開口即ち口を形成するダイカットを破断する効果が増加する。厳密に言えば、この効果の増加は、上記レバーの概念を用いて達成される。
【００１３】
より単純な実施形態では、第２レバーは、省略され得る。それゆえに、この場合、上記メインリングは、低端部分を有し、先に液体抽出口を解放した後に、この低端部分が上記蓋の上記ダイカットを輪郭とする領域の上にかかり、ダイカットを破断し空気流入口を解放する。
【００１４】
〔図面の簡単な説明〕
下記の記述を補足するとともに、本発明の特徴についてよりよい理解を助ける目的で、本願明細書に図面を添付する。これにより、本発明の対象に基づくシステムの革新性及び利点をより容易に理解できる。
【００１５】
図１は、飲料缶の二重開封システムにおける、飲料用缶即ち容器の蓋の上斜視図を示す。
【００１６】
図２は、本発明の二重開封システムが適用可能な蓋の平面図を示す。この蓋では、液体流出口及び空気流入口の両方を開封するために、ダイカットが形成されている。
【００１７】
図３は、先の図面に示された蓋に適用される開封システムの、非操作状態での断面図を示す。
【００１８】
図４は、先の図面のものと同様であるが、メインリングの傾斜が開始し、第２レバーとともに引きずられた後の断面図を示し、示された位置は、メインリングに対する、上記第２レバーの対応する特異な開放点に対応する。
【００１９】
図５は、図１と同様の上斜視図であり、二重開封システムの形状即ちデザインの実施形態の変形例を示す。この変形例では、メインリングの緩衝部が下方向に傾斜して突出する。
【００２０】
図６は、図３と同様の断面図であるが、先の図面の実施形態に係り、メインリングの緩衝部が下方向に突出している。
【００２１】
図７は、図４のものと同じ断面図を示すが、緩衝部が図５及び６に示されたものである。
【００２２】
図８は、図１と同様の上斜視図であり、第２レバーが窓を有し、上記第２レバーに対するメインリングの緩衝部が架橋リフトから構成されている。
【００２３】
図９は、先の図面に示されたものよりも単純な二重開封システムを有する、飲料用缶の蓋の平面図を示す。
【００２４】
図１０は、先の図面に示された蓋の正面図を示す。
【００２５】
図１１〜１３はそれぞれ、図９及び１０に示された二重開封システムに対応する、缶の開封プロセスを示す。
【００２６】
図１４〜１６は、先の図面に示されたものと異なる飲料缶の二重開封システムの斜視図を示す。
【００２７】
〔好ましい実施形態の記述〕
上述した図面からわかるように、本発明の対象に係る飲料用缶の二重開封システムは、飲料用容器即ち缶の対応する蓋３に設けられたメインリング１を備え、このメインリング１を介して、ダイカット２の破断即ち切断が行われる。ダイカット２は、舌部４を画定し、メインリング１が傾けられたとき、その分節取付け素子としてのリベット５を介して舌部４を内側へ緩ませて、液体流出口を形成する。
【００２８】
メインリング１の取付け及び傾斜のための同じリベット５には、第２レバー６が切断ハンマー７とともに取り付けられている。レバー６は、メインリング１においてレバー６のために設けられた窓に配されている。レバー６の端部には、狭小部分(sector)８が存在する。この狭小部分８は、図１、３、及び４に示されるように、メインリング１から伸びる(emerge)緩衝部９で係止する(rest)。その結果、従来のように、メインリング１は、係止位置で、蓋３の上面に接触したままになり、レバー６の端部分８は緩衝部９の垂直フラップで係止する。これにより、ハンマー７が蓋３の上にかかるのを防止することができる。そして、特に上記蓋３に設けられたダイカット１０においては、後述するように、ダイカット１０の破壊即ち破断に伴って、空気の流入口が形成され、容器即ち缶内に含まれる液体を消費することが可能になる。これと同時に、ダイカット１０により画定される舌部の脱離により、空気がこれら流入口を介して流入する。これらダイカット１０は、ダイカット２に対応する液体流出口から離間している。これにより、上記消費がなされているとき、上記液体がダイカット１０の口を介して流出し得ない。
【００２９】
すなわち、提案された特徴及び解決手段に基づけば、メインリング１及びその緩衝部９は、切断ハンマー７に対応するレバー６の運動をブロックする。液体流出口に対応するダイカット２を破壊即ち破断するためには、メインリング１が上方へ移動することが必要である。リング１のレバー６及び緩衝部９の回転半径が異なることに起因してレバー６が緩衝部９から脱離する(release)まで、メインリング１は、傾斜している間レバー６を引きずり、レバー６も、リベット５を軸として上方に傾斜する。それゆえ、一旦液体流出口の開封がなされると、メインリング１が下方に押圧される場合、レバー６が引きずられ、ハンマー７がダイカット１０の上にかかり、破断し上記流入口の対応する開封がなされ、空気の流入が可能になる。
【００３０】
図２に示されるように、上記蓋の領域との整合性を大きくするために、ダイカット１０間に深絞り(deep-draw)１１が設けられている。
【００３１】
図５、６、及び７には、レバー６の端部分８に対する緩衝部の変形例が示されている。それゆえ、この例では、端部分８の端縁部に対する傾斜路を形成するために、上記緩衝部は、斜め下方に突出したフラップ９’により形成されている。図６からわかるように、始めに、端部分８の端縁部は、メインリング１の上方への傾斜で上記脱離がなされるまで、これ及びレバー９’を保持する。図６は、上述の脱離が正確になされたときの、回転即ち傾斜点を示す。実施形態におけるこの変形例では、図６からわかるように、第２レバー６は、実質的に水平に配置されたままであり、偶発的な作動及び押圧のリスクを少なくしている。さらに、メインリング１は二重の丸い突起状であり大きな窓を有している一方、第２レバー６は、楕円状に広がり窓が設けられているので、先の図面とデザインがどのように異なるかは、図５からわかる。
【００３２】
空気流入口を開封させるための第２レバーは、アルミニウムで構成されていてもよく、あるいは、型打ちした鉄片で構成されていてもよい。また、第２レバーは、リベット５の真上に予め１０°に折り曲げられていることを特徴としており、折曲げ軸を確保する部分が削減されている一方、上記レバー６のハンマー７は、レバー６の上面に対し９０°に屈曲している。
【００３３】
最後に、第２レバー６に対する緩衝部は、フラップにより形成される代わりに、メインリング１の端部に設けられた架橋リフト９’’により決定されていることを特記すべきである。これにより、指先を上記架橋リフト９’’の下に配置することができ、取り扱われる上記缶即ち飲料用容器の開封操作において、上記メインリング１を容易に作動する、即ち上方へ押し上げる。
【００３４】
図９及び１０には、先の図面に示された実施形態よりも利点がないが、より単純な実施形態が示されている。
【００３５】
上記実施形態では、メインリング１’は、第２レバー６がない。それゆえ、本実施形態では、上記メインリング１’は、真下を向くハンマー７’の形態で低端部分を有する。ハンマー７’は、蓋におけるダイカット１０’を輪郭とした領域上にかかる。ダイカット１０’は、破断し、これに対応して空気の流入が可能な口を開封する。
【００３６】
上述した実施形態のように、単純な実施形態（図９〜１３）の場合、液体流出口を脱離するためにメインリング１’が上方へ傾斜し、舌部４を輪郭とする部分が破断した後、ダイカット１０’が破断する。それゆえ、メインリング１’の初期位置に到達し、メインリング１’の端部、すなわち上記メインリング１’におけるハンマー７’の低端部分で押圧するときまで、メインリング１’を再び下方へ傾斜させるに際し、上記ハンマーは、上述のダイカット１０’により画定された領域上にかかり、破断し、続いて空気流入口を開封する。
【００３７】
図１４及び１５には、より利点がある第３の実施形態が示されている。この実施形態では、図１〜８に示された実施形態を根幹として、第２レバー６’は、組み込まれ、中央折り畳み式の指標１２を有する。この指標１２は、対応のハンマー７’’を構成する薄浮き彫り突起部を画定する２つの集光面により形成されている。ハンマー７’’は、ダイカットユニット１０’’と対向し、ダイカットユニット１０’’の破壊により空気流入口が決定される。第２レバー６’は、特徴的な角張った構成である端部分８’を組み込む。メインリング１’’の緩衝部９’は、端部分８’の上にかかる。
【００３８】
また、メインリング１’’により画定される輪郭は、人間工学的により丸みがある断面になった、特殊な周辺肉厚部が特徴的である。肉厚部の連続性は、幅狭部分１３により中断される。この幅狭部分１３により、メインリング１’’の最初の持ち上げが容易になる。
【００３９】
図１６には、隆起部１４が示されている。隆起部１４は、ダイカット１０’’に対し画定された球状キャップの形状であり、缶内部の空気流入に対応する。
【００４０】
それにも関わらず、この隆起部は、他の２つの実施形態におけるダイカット１０−１０’に対しても適用可能である。
【図面の簡単な説明】
【００４１】
【図１】飲料缶の二重開封システムにおける、飲料用缶即ち容器の蓋の上斜視図を示す。
【図２】本発明の二重開封システムが適用可能な蓋の平面図を示す。この蓋では、液体流出口及び空気流入口の両方を開封するために、ダイカットが形成されている。
【図３】先の図面に示された蓋に適用される開封システムの、非操作状態での断面図を示す。
【図４】先の図面のものと同様であるが、メインリングの傾斜が開始し、第２レバーとともに引きずられた後の断面図を示し、示された位置は、メインリングに対する、上記第２レバーの対応する特異な開放点に対応する。
【図５】図１と同様の上斜視図であり、二重開封システムの形状即ちデザインの実施形態の変形例を示す。この変形例では、メインリングの緩衝部が下方向に傾斜して突出する。
【図６】図３と同様の断面図であるが、先の図面の実施形態に係り、メインリングの緩衝部が下方向に突出している。
【図７】図４のものと同じ断面図を示すが、緩衝部が図５及び６に示されたものである。
【図８】図１と同様の上斜視図であり、第２レバーが窓を有し、上記第２レバーに対するメインリングの緩衝部が架橋リフトから構成されている。
【図９】先の図面に示されたものよりも単純な二重開封システムを有する、飲料用缶の蓋の平面図を示す。
【図１０】先の図面に示された蓋の正面図を示す。
【図１１】図９及び１０に示された二重開封システムに対応する、缶の開封プロセスを示す。
【図１２】図９及び１０に示された二重開封システムに対応する、缶の開封プロセスを示す。
【図１３】図９及び１０に示された二重開封システムに対応する、缶の開封プロセスを示す。
【図１４】先の図面に示されたものと異なる飲料缶の二重開封システムの斜視図を示す。
【図１５】先の図面に示されたものと異なる飲料缶の二重開封システムの斜視図を示す。
【図１６】先の図面に示されたものと異なる飲料缶の二重開封システムの斜視図を示す。
【図１】
0005607057.tif 000002
【図２】
0005607057.tif 000003
【図３】
0005607057.tif 000004
【図４】
0005607057.tif 000005
【図５】
0005607057.tif 000006
【図６】
0005607057.tif 000007
【図７】
0005607057.tif 000008
【図８】
0005607057.tif 000009
【図９】
0005607057.tif 000010
【図１０】
0005607057.tif 000011
【図１１】
0005607057.tif 000012
【図１２】
0005607057.tif 000013
【図１３】
0005607057.tif 000014
【図１４】
0005607057.tif 000015
【図１５】
0005607057.tif 000016
【図１６】
0005607057.tif 000017